(57)【要約】【課題】補助結合手段なしで相互に係合し得る部材間の空隙部分が十分に確保された組立家具。【解決手段】それぞれ係合部（５・６・７・８・９・１０・１１・１２）をもった複数本の軸状の直立部材（４）と水平部材（２・３）からなる脚部と、脚部との係合部（５）をもつ面状の台盤部（１）とで構成することで部材間に空隙部分を確保する。前記したような構成を採用することで、従来のような面材を使用しなくても部材間の結合強度が十分に確保出来る。【選択図】図１
2018011638.tif 000002
【特許請求の範囲】
【請求項１】
補助結合手段なしで、互いに係合し得る複数の部材からなり、これらの部材間の距離を十分に確保した空隙部分を有する組立家具であって、それぞれ係合部をもった複数本の軸状の直立部材及び水平部材からなる脚部と、脚部との係合部をもつ面状の台盤部とで構成されることで、軸状の部材間に空隙部分を有することを特徴とする家具。
【請求項２】
前記脚部は、斜めに傾けられた直立部材と、前記水平部材とが係合部により所定の角度で固定されてなることを特徴とする請求項１に記載の家具。
【請求項３】
前記係合部は互いに組み合わされる部材の少なくとも一つは、一方は空欠部を有し、他方は前記空欠部に挿入される挿入部を有し、直立部材には互いに直交する方向に貫通する２つの空欠部が形成され、１本の直立部材の２つの空欠部のそれぞれには、２本の水平部材のそれぞれの挿入部が挿入され、２本の水平部材のうちの少なくともいずれか一方の挿入部は他の部分よりも小径の小径部であって、咳小径部を大径部との境界面が、直立部材の空欠部外縁に当接する当接部として形成されている請求項１又は請求項２に記載の家具。
【請求項４】
少なくとも９個の部材、即ち１個の台盤部と、２個の水平部材と、それに直交する２個のの水平部材と、４個の直立部材とからなる脚部で構成され、１本の直立部材の２つの空欠部の上端は同じ高さ位置に形成され１本の直立部材の２つの空欠部に挿入される２本の水平部材のうちの一方には他方の水平部材を避ける切欠が形成されてなる請求項３に記載の家具。
【請求項５】
切欠部をもつ水平部材は、直立部材の空欠部に挿入され、水平部材の切欠部と直立部材の空欠部が重ね合わされる位置まで挿入され、水平部材は直立部材の空欠部内で傾いてなることを特徴とする請求項４に記載の家具。
【請求項６】
当接部をもつ水平部材は、直立部材に挿入された水平部材の切欠部に挿入され、当接部により所定の位置が決定され、水平部材は直立部材の空欠部内で傾いてなり、切欠部をもつ水平部材は、当接部をもつ水平部材の挿入部及び直立部材により水平方向に対して固定されることをを特徴とする請求項５に記載の家具。
【請求項７】
台盤部は、台盤部の下端と水平部材の上端が接する位置で、台盤部の穿孔部と直立部材の頂部とで係合されることで直立部材が固定され、当接部をもつ水平部材は、直立部材により水平方向に対しても固定され、台盤部の下端と水平部材の上端が接することにより、台盤部の周縁に力が働いても、台盤部が水平部材に支持され固定されることを特徴とする請求項６に記載の家具。
【発明の詳細な説明】
【技術分野】
【０００１】
本発明は、補助結合手段なしで、互いに係合し得る複数の部材からなり、これらの部材間の距離を十分に確保し空隙部分を有する組立家具に関するものである。
【背景技術】
【０００２】
従来、椅子やテーブルのような家具は、製造段階で最終製品の状態にまで組み立てられるか、一般の人によって接着剤・ねじ・くさび等の補助結合手段を用いて組み立てられる。他に、先行技術文献（特許文献１及び特許文献２）のように、互いに係合し得る部材からなり、補助結合手段なしでその機能を遂行する家具がある。
【先行技術文献】
【特許文献】
【０００３】
【特許文献１】特表２００４−５３１６７９
【特許文献１】特表２００１−５１８３３８
【発明の概要】
【発明が解決しようとする課題】
【０００４】
製造段階で最終製品の状態にまで組み立てられる家具は一般の人がこれを組み立てたり、分解することができない。
接着剤、ねじ、くさび等の補助結合手段を用いて組み立てられる家具は、専用の工具が必要であり、組立方法が複雑になる。
補助結合手段なしで相互に係合し得る部材からなる家具は、強度を確保するために面材で構成することを前提とされており、部材間の空隙部分は十分に確保されず、空隙部分が利用できない、もしくは限定された方向での使用が求めらる。
本発明は、これらの問題点を解決するためになされたものである。
【課題を解決するための手段】
【０００５】
それぞれ係合部をもった複数本の軸状の直立部材及び水平部材からなる脚部と、脚部との係合部をもつ面状の台盤部とで構成されることで、軸状の部材間に空隙部分を有することで、咳空隙部分を利用することが可能となり、使用方向が限定されない。
【０００６】
前記係合部を有する家具は、補助結合手段を用いないことで、容易に組立・解体を繰り返すことが可能となる。さらに、組立・解体に必要な手続きが簡略化され、より明確で簡易な組立方法となる。
【０００７】
前記脚部は、斜めに傾けられた直立部材と、前記水平部材とが係合部により所定の角度で固定されてなる。
【０００８】
前記係合部は互いに組み合わされる部材の少なくとも一つは、一方は空欠部を有し、他方は前記空欠部に挿入される挿入部を有し、直立部材には互いに直交する方向に貫通する２つの空欠部が形成され、１本の直立部材の２つの空欠部のそれぞれには、２本の水平部材のそれぞれの挿入部が挿入され、２本の水平部材のうちの少なくともいずれか一方の挿入部は他の部分よりも小径の小径部であって、咳小径部を大径部との境界面が、直立部材の空欠部外縁に当接する当接部として形成されている。
【０００９】
少なくとも９個の部材、即ち１個の台盤部と、２個の水平部材と、それに直交する２個の水平部材と、４個の直立部材からなる脚部で構成され、１本の直立部材の２つの空欠部の上端は同じ高さ位置に形成され１本の直立部材の２つの空欠部に挿入される２本の水平部材のうちの一方には他方の水平部材を避ける切欠が形成される。
【００１０】
切欠部をもつ水平部材は、直立部材の空欠部に挿入され、水平部材の切欠部と直立部材の空欠部が重ね合わされる位置まで挿入され、水平部材は直立部材の空欠部内で傾いてなる。
【００１１】
当接部をもつ水平部材は、直立部材に挿入された水平部材の切欠部に挿入され、当接部により所定の位置が決定され、水平部材は直立部材の空欠部内で傾いてなる。切欠部をもつ水平部材は、当接部をもつ水平部材の挿入部及び直立部により水平方向に対して固定される。
【００１２】
水平部材の端縁に鉛直荷重がかけられた場合、直立部材の力点側の空欠部の下端及び力点と反対側の空欠部上端にて水平部材は固定される。
脚部が構成された時点で鉛直荷重がかかっても直立状態を維持することが可能。
【００１３】
台盤部は、台盤部の下端と水平部材の上端が接する位置で、台盤部の穿孔部と直立部材の頂部とで係合されることで、直立部材が固定され、当接部をもつ水平部材は、直立部材により水平方向に対しても固定される。
【００１４】
台盤部の下端と水平部材の上端が接することにより、台盤部の周縁に力が働いても、台盤部が水平部材に支持され固定されることを特徴とする。
【００１５】
台盤部に荷重が加えられると、その荷重は台盤部により力が分散され脚部へと伝達される。そして、直立部材に対して、台盤部との係合部を中心に開脚しようとする力として作用する。水平部材の係合部により、直立部材は一定の角度で固定されることで全体の強度を確保し、直立状態を維持することが可能。
【発明の効果】
【００１６】
空隙部分を確保することが可能。
【図面の簡単な説明】
【００１７】
【図１】本発明の分解斜視図である。
【図２】本発明の分解斜視図である。
【図３】本発明の分解斜視図である。
【図４】本発明の斜視図である。
【図５】本発明の部分分解斜視図である。
【図６】本発明の部分分解斜視図である。
【図７】本発明の部分分解斜視図である。
【図８】本発明の部分斜視図である。
【発明を実施するための形態】
【００１８】
本発明の実施の形態を図面に基づいて説明する。
家具は９個の部材、即ち１個の台盤部１と、２個の水平部材（イ）２、２個の水平部材（ロ）３、４個の直立部材４からなる脚部で構成されている。
この家具における各部材は互いに組み合わせる係合部をもつ。台盤部１の下面には４個の空欠部５、水平部材（イ）２には２個の切欠部６と挿入部７、水平部材（ロ）３は大径部８と、両端に挿入部となる小径部９と当接部１０、直立部材４には上端近傍に空欠部１１・１２をもつ。
【００１９】
前記係合部を有する家具は、補助結合闥iを用いないことで、容易に組立・解体を繰り返すことが可能となる。さらに、組立・解体に必要な手続きが省略され、より明確で簡易な組立方法となる。
【００２０】
図２・図６に示すように、直立部材４は、水平部材（イ）２が挿入される空欠部１２と、水平部材（ロ）３が挿入される空欠部１２をもつ。水平部材（イ）２は、切欠部６と空欠部１１が重ね合わされる位置まで挿入され、空欠部１２内で傾いてなる。
【００２１】
図６に示すように、水平部材（イ）２の端縁に鉛直荷重がかけられた場合、直立部材４の力点側の空欠部１２の下端及び力点と反対側の空欠部１２上端にて水平部材（イ）２は固定される。
【００２２】
図３・図７に示すように、水平部材（ロ）３の挿入部は、水平部材（イ）２の切欠部６と直立部材４の空欠部１１へと挿入され、当接部１０により所定の位置が決定され、空欠部１１内で傾いてなる。
水平部材（イ）２は、水平部材（ロ）３及び直立部材４により水平方向に対して固定される。
【００２３】
図７に示すように、水平部材（ロ）３の端縁に鉛直荷重がかけられた場合、直立部材４の力点側の空欠部１２の下端及び力点と反対側の空欠部１２上端にて水平部材（ロ）は固定される。
脚部が構成された時点で鉛直荷重がかかっても直立状態を維持することが可能。
【００２４】
図４・図８に示すように、台盤部１は、台盤部１の下端と水平部材（イ）２及び水平部材（ロ）３の上端が接する位置で、台盤部１の穿孔部５と直立部材Sの頂部とで係合されることで、直立部材４が固定され、水平部材（ロ）３の当接部により、水平部材（ロ）３は水平方向に対しても固定される。
２つのックウケ粒の上端は同じ高さ位置にある、したがって、水平部材（イ）２と水平部材（ロ）３の上端は同じ高さ位置となる。
台盤部１の下端と水平部材（イ）２及び水平部材（ロ）３の上端が接することにより、台盤部１の周縁に力が働いても、台盤部１が水平部材（イ）２及び水平部材（ロ）３に支持され固定される。
【００２５】
図４に示すように、台盤部１は状態の変化、即ち偏心・変形等が少ない面材のため、台盤部１に荷重が加えられると、その荷重は台盤部１により力が分散され脚部へと伝達され、台盤部１の穿孔部５を中心に、直立部材４に開脚する力として作用することで直立した状態を維持することが可能。
【００２６】
上記したような構成を採用することで、従来のような面材を使用しなくても部材間の結合強度が十分に確保出来る。したがって、図４に示すように、脚部の直立部材４及び水平部材（イ）２及び水平部材（ロ）３は、少なくとも人間の足が入る程度の距離を確保できる軸材から成ることで、空隙部分を利用することが可能。さらに、脚部の全方向、空隙部分が確保されることで、使用方向が限定されない。
【符号の説明】
【００２７】
１    台盤部
２    水平部材（イ）
３    水平部材（ロ）
４    直立部材
５    穿孔部
６    切欠部
７    挿入部
８    大径部
９    直立部材
１０  当接部
１１・１２    空欠部
【図１】
2018011638.tif 000003
【図２】
2018011638.tif 000004
【図３】
2018011638.tif 000005
【図４】
2018011638.tif 000006
【図５】
2018011638.tif 000007
【図６】
2018011638.tif 000008
【図７】
2018011638.tif 000009
【図８】
2018011638.tif 000010